(57)【要約】【課題】ケースや文字板に外力が加わっても、表示パネルに応力が容易に加わらないようにした遠隔操作装置を提供する。【解決手段】赤外線発光素子８と制御素子１７を備えたプリント基板６と、文字板２と、表示パネル１と、前記プリント基板６と前記表示パネル１を内蔵するケース３と、前記表示パネル２を前記プリント基板６に固定する保持ホルダ−１１を備え、前記保持ホルダ−１１の一部を前記文字板２と前記表示パネル１との間に介在させたもので、ケ−ス３に外力が加わっても、保持ホルダ−１１により外力が直接表示パネルに伝わる事がなく、また、文字板２に外力が加わった場合でも、保持ホルダ−１１により文字板２と表示パネル１との間に形成された隙間により、直接表示パネル１に応力が加わることが無い。【選択図】図１ 
2005252336.tif 000002
【特許請求の範囲】
【請求項１】
赤外線発光素子と制御素子を備えたプリント基板と、文字板と、表示パネルと、前記プリント基板と前記表示パネルを内蔵するケースと、前記表示パネルを前記プリント基板に固定する保持ホルダ−を備え、前記保持ホルダ−の一部を前記文字板と前記表示パネルとの間に介在させた遠隔操作装置。
【請求項２】
保持ホルダ−を樹脂材料で形成すると共に、表示パネルとプリント基板との間に導電部材を介在させた請求項１記載の遠隔操作装置。
【発明の詳細な説明】
【技術分野】
【０００１】
本発明は、空気調和機等を遠隔操作する遠隔操作装置に関するものである。
【背景技術】
【０００２】
従来のこの種の遠隔操作装置について、図２を用いて説明する。
【０００３】
図において、遠隔操作装置の外郭を形成するケース３は、上ケース３ａと下ケ−ス７から形成されている。操作メニュウ等が表示された文字板２の下に配され液晶からなる表示パネル１は、上ケ−ス３ａの一部に設けられた表示パネル保持板４に保持されている。さらに、表示パネル保持板４は支持部材５により、プリント基板６を介して下ケ−ス７の内壁上に支持され構成されている（例えば、特許文献１参照）。
【０００４】
また、表示パネル１をプリント基板６よりネジ止めにて上ケ−ス３ａに固定したものもある。
【特許文献１】特開２０００−１９４２６９号公報
【発明の開示】
【発明が解決しようとする課題】
【０００５】
しかしながら、前記従来の構成では、表示パネル１は上ケ−ス３ａの一部として設けられた表示パネル保持板４に保持されている構成なので、表示パネル１と文字板２間の隙間が小さく、文字板２に外力が加わると、文字板２が変形し表示パネル１に応力がかかりやすという課題を有していた。また、表示パネル保持板４と支持部材５間にプリント基板があるため、下ケ−ス７からの外力によりプリント基板６に応力がかかりやすいという課題を有していた。
【０００６】
本発明は、前記従来の課題を解決するもので、表示パネルに外力による応力がかかりにくく、信頼性の高い遠隔操作装置を提供することを目的とする。
【課題を解決するための手段】
【０００７】
前記従来の課題を解決するために、本発明の遠隔操作装置は、赤外線発光素子と制御素子を備えたプリント基板と、文字板と、表示パネルと、前記プリント基板と前記表示パネルを内蔵するケースと、前記表示パネルを前記プリント基板に固定する保持ホルダ−を備え、前記保持ホルダ−の一部を前記文字板と前記表示パネルとの間に介在させたもので、ケ−スに外力が加わっても、保持ホルダ−により外力が直接表示パネルに伝わる事がなく、また、文字板に外力が加わった場合でも、保持ホルダ−により文字板と表示パネルとの間に形成された隙間により、直接表示パネルに応力が加わることが無い。
【発明の効果】
【０００８】
本発明の遠隔操作装置は、ケースや文字板に外力が加わっても、それにより表示パネルに応力が容易に加わる事がないので、表示パネルの耐久性が向上し、信頼性の高いものとなる。
【発明を実施するための最良の形態】
【０００９】
第１の発明は、赤外線発光素子と制御素子を備えたプリント基板と、文字板と、表示パネルと、前記プリント基板と前記表示パネルを内蔵するケースと、前記表示パネルを前記プリント基板に固定する保持ホルダ−を備え、前記保持ホルダ−の一部を前記文字板と前記表示パネルとの間に介在させたもので、ケ−スに外力が加わっても、保持ホルダ−によ
り外力が直接表示パネルに伝わる事がなく、また、文字板に外力が加わった場合でも、保持ホルダ−により文字板と表示パネルとの間に形成された隙間により、直接表示パネルに応力が加わることが無い。
【００１０】
第２の発明は、特に、第１の発明の保持ホルダ−を樹脂材料で形成すると共に、表示パネルとプリント基板との間に導電部材を介在させたもので、遠隔操作装置を安価に形成できると共に、表示パネルとプリント基板間の導通性を大幅に向上させる事ができる。
【００１１】
以下、本発明の実施の形態について、図面を参照しながら説明する。なお、この実施の形態によって本発明が限定されるものではない。
【００１２】
（実施の形態１）
図１（ａ）は、本発明の第１の実施の形態における遠隔操作装置の正面図、（ｂ）は、同遠隔操作装置の縦断面図、（ｃ）は、同遠隔操作装置の横断面図である。なお、従来例と同一部分については、同一符号を付して、その説明を省略する。
【００１３】
図において、本実施の形態における遠隔操作装置は、赤外線発光素子８を具備し、運転切/入ボタン９より入力された内容を制御素子１７により一定の信号に置き換え、前記赤外線発光素子８により空気調和機等の被遠隔操作機器に信号を送信することによりそれらを遠隔操作するものであり、外郭は、上ケ−ス３ａと下ケ−ス７からなるケース３と、文字板２と、赤外線透過樹脂１０で構成されている。
【００１４】
遠隔操作装置の内部は、液晶等からなる表示パネル１、プリント基板６、保持ホルダ−１１、扉表面ボタン１２、扉内ボタン１３、電池１４で構成している。表示パネル１は、保持ホルダ−１１とプリント基板６間に配置されると共に、保持ボルダ−１１とネジ１５でプリント基板６に固定されている。上ケ−ス３ａと下ケ−ス７は、ケ−ス止めネジ１８で固定されている。
【００１５】
以上のように構成された遠隔操作装置について、以下その動作、作用を説明する。
【００１６】
まず、上ケ−ス３ａや文字板２より外力が加わった場合、表示パネル１は、保持ホルダ−１１とプリント基板６間に配置されると共に、保持ボルダ−１１によりプリント基板６にネジ１５で固定されているので、直接保持ボルダ−１１により、直接表示パネル１に応力が加わらない。また、上ケ−ス３ａ、文字板２のそれぞれと表示パネル１との間に隙間が有るため、表示パネル１に応力が直接加わることがない。また、下ケース７に設けた支持部材５よりプリント基板６に応力がかかりにくくすることができる。
【００１７】
また、保持ホルダ−１１を、樹脂材料で形成するようにすれば、遠隔操作装置の低コスト化が図れると共に、導電性ゴムなどから形成された導電部材１６を確実に表示パネル１とプリント基板６間に固定でき、表示パネル１とプリント基板６の導通性向上を図ることができる。
【産業上の利用可能性】
【００１８】
以上のように、本発明にかかる遠隔操作装置は、上ケ−スや文字板に外力が加わっても、その外力による応力が、直接表示パネルに加わることがないので、表示パネルの耐久性が向上すると共に、信頼性の高いものとなるので、各種機器、装置の遠隔操作に使用される遠隔操作装置に広く適用できる。
【図面の簡単な説明】
【００１９】
【図１】（ａ）本発明の第１の実施の形態における遠隔操作装置の正面図、（ｂ）同遠隔操作装置の縦断面図（Ａ−Ａ断面）、（ｃ）同遠隔操作装置の横断面図（Ｂ−Ｂ断面）
【図２】従来の遠隔操作装置（筐体）の断面図
【符号の説明】
【００２０】
１  表示パネル
２  文字板
３  ケース
６  プリント基板
８  赤外線発光素子
１１  保持ホルダ−
１６  導電部材
１７  制御素子
【図１】
2005252336.tif 000003
【図２】
2005252336.tif 000004